(57)【特許請求の範囲】
【請求項１】
竿本体と、
この竿本体内に挿入され、バネによって上昇方向に付勢された内挿パイプと、
この内挿パイプ内に摺動自在に挿入され、上下に設けられた第１及び第２のロック手段を作動させるスイッチ軸と、
前記内挿パイプに沿って上向きに折り畳まれ、前記スイッチ軸の上昇によって展張する支持脚とを少なくとも備えたことを特徴とする自立式標示器。
【請求項２】
前記竿本体は、この竿本体に沿って上向きに折り畳まれ、前記バネの力による前記内挿パイプの上昇によってロックが解除され、旗を展張させる旗展張用レバーをさらに備えたことを特徴とする請求項１記載の自立式標示器。
【請求項３】
前記第１及び第２のロック手段は、同一形状のロックレバーを備え、両ロックレバーが上下逆向きに配設された構成であることを特徴とする請求項１または２記載の自立式標示器。
【請求項４】
前記内挿パイプは、前記支持脚の基端部を枢着するハブを備え、前記竿本体は、前記支持脚の脚先部を着脱可能に係合する脚ホルダーパイプを備え、前記脚ホルダーパイプには前記支持脚の折りたたみ状態を保持するための前記第１のロック手段のロックレバーが出没するスリット穴が設けられ、前記内挿パイプには前記ハブの上昇位置を規制するための前記第２のロック手段のロックレバーが出没するスリット穴が設けられていることを特徴とする請求項１乃至３のいずれかに記載の自立式標示器。
【請求項５】
前記支持脚は、可撓性の高い樹脂材料により構成されていることを特徴とする請求項１乃至４のいずれかに記載の自立式標示器。
【発明の詳細な説明】
【技術分野】
【０００１】
本発明は、災害地域や汚染地域などの危険地域に旗などの標識を自立式に立てることができる自立式標示器に関する。
【背景技術】
【０００２】
従来、例えば汚染地域に旗竿を立てて標示するものがあった。旗竿は遠隔操作で立てるようになっており、例えば走行車両に搭載したマニプレータにより地面に突き刺して立てるようになっている（例えば、特許文献１参照）。
【０００３】
【特許文献１】特開昭６２−１４８７０９公報
【発明の開示】
【発明が解決しようとする課題】
【０００４】
しかしながら、従来の旗竿は地面に突き刺して立てる方式であるため、アスファルトなどの舗装道路などでは使用できなかった。
【０００５】
本発明は、竿の先端を地面などに押し付けるだけで、アスファルトなどの舗装道路などにも容易に立てることができる自立式標示器を提供することを目的とする。
【課題を解決するための手段】
【０００６】
本発明に係る自立式標示器は、竿本体と、この竿本体内に挿入され、バネによって上昇方向に付勢された内挿パイプと、この内挿パイプ内に摺動自在に挿入され、上下に設けられた第１及び第２のロック手段を作動させるスイッチ軸と、前記内挿パイプに沿って上向きに折り畳まれ、前記スイッチ軸の上昇によって展張する支持脚とを少なくとも備えたことを特徴とする。
【０００７】
本発明の自立式標示器では、スイッチ軸が地面に押し付けられると上昇し、第１のロック手段のロックが解除されるため、バネの力によって内挿パイプが竿本体内を上昇する。このため、上向きに折り畳まれた支持脚が展張して竿本体を自立させることができる。
したがって、アスファルトなどの舗装道路などにも容易に立てることができる。
【０００８】
また、前記竿本体は、この竿本体に沿って上向きに折り畳まれ、前記バネの力による前記内挿パイプの上昇によってロックが解除され、旗を展張させる旗展張用レバーをさらに備えたものである。
内挿パイプのバネの力による上昇力を利用することで、上向きに折り畳まれた旗展張用レバーを展張させることができる。これにより旗が展張するので、地震、土砂崩れなどの災害地域や、汚染地域、交通事故現場などに標識としての旗を簡単に立てることができる。
【０００９】
また、前記第１及び第２のロック手段は、同一形状のロックレバーを備え、両ロックレバーが上下逆向きに配設された構成とするものである。
同一形状のロックレバーを上下逆向きに配設することにより、支持脚の折り畳み状態の固定と展張時の開脚位置の規制とを簡単なロック機構で構成することができる。
【００１０】
また、前記内挿パイプは、前記支持脚の基端部を枢着するハブを備え、前記竿本体は、前記支持脚の脚先部を着脱可能に係合する脚ホルダーパイプを備え、前記脚ホルダーパイプには前記支持脚の折りたたみ状態を保持するための前記第１のロック手段のロックレバーが出没するスリット穴が設けられ、前記内挿パイプには前記ハブの上昇位置を規制するための前記第２のロック手段のロックレバーが出没するスリット穴が設けられている構成とするものである。
これにより、第１のロック手段のロックレバーにより、支持脚の折り畳み状態を保持し、第２のロック手段のロックレバーにより、展張時の開脚位置の規制をすることができる。
【００１１】
また、前記支持脚は、可撓性の高い樹脂材料により構成されているものである。
これにより、本自立式標示器をある程度の高さから垂直に落とした場合でも、支持脚が反動を吸収できるため、不安定な地面等でも転倒させずに自立させることができる。
【発明を実施するための最良の形態】
【００１２】
以下、本発明の一実施形態に係る自立式標示器について、図１〜図７を参照して説明する。ここでは、本発明を旗竿に適用した例を示すが、本発明はこれに限定されるものではない。
図１は本発明の自立式標示器の立面図（ａ）と断面図（ｂ）、図２は旗竿収納状態における自立式標示器の全体断面図（ａ）、Ａ部拡大断面図（ｂ）、Ｂ部拡大断面図（ｃ）及びＣ−Ｃ拡大断面図（ｄ）、図３はスイッチ軸作動時の自立式標示器の全体断面図（ａ）、Ａ部拡大断面図（ｂ）及びＢ部拡大断面図（ｃ）、図４は支持脚展張開始時の自立式標示器の全体断面図（ａ）及びＡ部拡大断面図（ｂ）、図５は支持脚展張途中の自立式標示器の動作説明図、図６は支持脚及び旗展張時の自立式標示器の動作説明図、図７は自立式標示器の自立状態を示す外観図である。
【００１３】
本例の自立式標示器としての旗竿は、中空パイプからなる竿本体１と、竿本体１内に挿入され、バネ４によって上昇方向に付勢された内挿パイプ２と、内挿パイプ２内に摺動自在に挿入され、上下に設けられた第１及び第２のロック手段である第１及び第２のロックレバー５、６を作動させるスイッチ軸３と、内挿パイプ２に沿って上向きに折り畳まれ、スイッチ軸３の上昇によって展張する支持脚７及び旗展張用レバー８とを備えている。
【００１４】
竿本体１は、複数のパイプ部分、例えば竿頭部１１、旗ホルダーパイプ１２、１３、及び脚ホルダーパイプ１４をそれぞれネジで結合した構成となっている。このうち下部の旗ホルダーパイプ１３には枢軸１５により旗展張用レバー８の基端部が枢着され、旗展張用レバー８の上部には旗ホルダーパイプ１２と着脱可能なレバーホルダー１６が取り付けられている。これによって、収納時、旗展張用レバー８は図１に示すように竿本体１とほぼ平行に折り畳まれるようになっている。旗３０は、図７に示すように、竿頭部１１に設けられた止め具１７ａと旗展張用レバー８の上下部に設けられた止め具１７ｂ、１７ｃに巻き掛けられた紐１８によって三角旗として展張するようになっている。また、旗展張用レバー８の基端部の枢着部材１９と竿頭部１１の止め具１７ａは、竿本体１を中心に回転自在に取り付けられている。
【００１５】
内挿パイプ２は、竿本体１に摺動自在に挿入され、内挿パイプ２の上部取付部材と脚ホルダーパイプ１４の上端との間には、内挿パイプ２を上昇方向に付勢するバネ４が装着されている。さらに、内挿パイプ２の下部には複数本（本例では４本）の支持脚７の基端部を枢着するハブ２０が取り付けられており、脚ホルダーパイプ１４の外周部には図２のＣ−Ｃ断面図に示すように、支持脚７の脚先部７ｂを着脱可能に保持する脚ホルダー２１が設けられている。さらに脚ホルダーパイプ１４の下部には各支持脚７と一端がリンク結合された脚支えリンク７ａの他端が枢着されている。これにより、各々の支持脚７と脚支えリンク７ａは内挿パイプ２に沿って上向きに折り畳まれる。また、支持脚７はグラスファイバー入りの樹脂などの高い可撓性を有する樹脂材料で構成することにより、着地時の反動を吸収できるため、竿本体１を転倒しにくくすることができる。
【００１６】
スイッチ軸３は、内挿パイプ２内に摺動自在に挿入されており、上部に第１のロックレバー５が、下部に第２のロックレバー６が設けられている。第１及び第２のロックレバー５、６は、図２に示すように、同一形状のものからなり、これらを上下逆向きにスイッチ軸３に装着されている。すなわち、第１のロックレバー５は、ロック部５ａが脚ホルダーパイプ１４及び内挿パイプ２にそれぞれ設けられた上スリット穴１４ａ、２ａを通して出没可能に設けられており、第１のロックレバー５の基端部５ｂ（但し、Ａ部の拡大断面図では図示省略）は内挿パイプ２に設けられた穴に係合している。第２のロックレバー６も、第１のロックレバー５と上下逆向きに配設される点以外は同様の構成であり、ロック部６ａが内挿パイプ２に設けられた下スリット穴２ｂを通して出没自在に設けられており、第２のロックレバー６の基端部６ｂは内挿パイプ２に設けられた穴に係合している。また、第１及び第２のロックレバー５、６のロック動作及びロック解除動作を可能にするべく、スイッチ軸３のパイプ壁には複数のスリット穴３ａ、３ｂ、３ｃが対向状に及び上下反対に配設されている。すなわち、上下のスリット穴３ａは、上記の上スリット穴１４ａ、２ａ及び下スリット穴２ｂにそれぞれ向かい合って開口されており、スリット穴３ｂはスリット穴３ａの下方または上方に開口されており、またスリット穴３ｃはスリット穴３ａ、３ｂと反対側のパイプ壁にもっとも長い穴で開口されている。
【００１７】
次に、本例の旗竿の使用方法及び動作について説明する。
（１）収納時
図１に示すように、支持脚７及び旗展張用レバー８はそれぞれ竿本体１に沿って上向きに折り畳まれる。このときには、第１のロックレバー５のロック部５ａは、図２に示すように、上スリット穴１４ａ、２ａ、３ａより外方へ突出して内挿パイプ２を保持している。また、第２のロックレバー６のロック部６ａは、下スリット穴２ｂ、３ｂより外方へ突出してスイッチ軸３を保持している。支持脚７の脚先部７ｂは脚ホルダー２１の切欠き部２１ａに係合して保持される。また、旗展張用レバー８はこのレバー８に取り付けられたＣ字状のレバーホルダー１６が旗ホルダーパイプ１２に係合して保持される。なお、Ｃ字状のレバーホルダー１６が着脱可能に係合する旗ホルダーパイプ１２の部分には角形などの窓１２ａが設けられており、レバーホルダー１６を外すための舌状突起部１６ａが窓１２ａより旗ホルダーパイプ１２内に進入するようになっている。
このように、旗竿を細径に折り畳んで収納できるため、例えば収納ケース内のターレット板（図示せず）に複数本（１０本程度）収納することができる。
【００１８】
（２）スイッチ軸の作動時
この旗竿を、例えば走行車両に搭載したマニプレータにより竿頭部１１を把持してスイッチ軸３の先端を地面に押し付けるか、あるいはある高さから垂直に落下させる。そうすると、スイッチ軸３の先端が接地することにより、スイッチ軸３が内挿パイプ２内をスライドして上昇する。これにより、図３に示すように、第１のロックレバー５のロック部５ａはスイッチ軸３の上スリット穴３ａの上端により押されて内部に引き込まれ、ロックが解除される。一方、第２のロックレバー６のロック部６ａはスイッチ軸３の下スリット穴３ａの上端により外部に押し出される。このため、第１のロックレバー５のロックが解除されるため、バネ４の力により内挿パイプ２は竿本体１内を上昇する。その結果、図４に示すように、支持脚７の脚先部７ｂが上方へスライドして脚ホルダー２４から外れる。さらに、図５に示すように、内挿パイプ２の上昇により支持脚７の基端部が枢着されたハブ２０と脚ホルダーパイプ１４間の距離が短くなるため、脚ホルダーパイプ１４の下部と支持脚７の中間部に両端がリンク結合された脚支えリンク７ａにより支持脚７を外方へ押し広げていく。
【００１９】
（３）支持脚及び旗の展張
内挿パイプ２の上昇により、図６に示すように、第１のロックレバー５が竿本体１内に進入するとともに、第２のロックレバー６が脚ホルダーパイプ１４内に進入し、そのロック部６ａが再び上スリット穴１４ａ、２ａ、３ｂより外部へ押し出されて脚ホルダーパイプ１４に係合することにより、内挿パイプ２をロックする。このため、内挿パイプ２は上昇を停止し、これにより支持脚７の開脚位置が規制される。したがって、支持脚７は所定の角度で展張し竿本体１を自立させることができる。一方、内挿パイプ２は竿本体１内を所定位置まで上昇し、上部の旗ホルダーパイプ１２の窓１２ａに係合しているレバーホルダー１６の舌状突起部１６ａに内挿パイプ２の上端部が当接して、レバーホルダー１６を外方へ押し出し旗ホルダーパイプ１２から離脱させる。これにより、旗展張用レバー８のロックが外れ、図７に示すように旗３０が展張する。
【００２０】
展張した旗３０を再び折り畳む場合は、上記と反対に行えばよい。すなわち、人手により旗展張用レバー８に沿って旗３０を巻き付け、レバーホルダー１６を旗ホルダーパイプ１２の窓１２ａに係合させる。
次に、展張した支持脚７を折り畳む場合は、人手により内挿パイプ２をバネ４の力に抗して引き下げ、第１のロックレバー５を上スリット穴１４ａに係合させ、内挿パイプ２をロックする。ついで、スイッチ軸３を引き下げ、第２のロックレバー６を下スリット穴２ｂに係合させる。その後、支持脚７を折り畳み、脚先部７ｂを脚ホルダー２４に係合させる。これにより、図２に示した状態となる。
このように、３ステップでロックを掛けることにより支持脚７を容易に折り畳むことができる。
【００２１】
本例の旗竿は、以下に示すような効果がある。
（１）従来のように地面に突き刺して立てる方式ではないので、アスファルトなどの舗装道路などにも容易に立てる（自立させる）ことができる。
（２）この旗竿は全体の直径を細くすることが可能であるので、収納や持ち運びに便宜である。
（３）支持脚にグラスファイバー入り樹脂などの可撓性の高い材料を使用しているので、空中から落下させるような方法で設置する場合において、支持脚が不均等に接地するような状態になっても、それぞれの支持脚に作用する反動を吸収できるため、転倒しにくい。
また、支持脚先端の直径を旗竿全長の約６０％以上とすることにより、旗竿を転倒しにくくすることができる。この場合、重心位置を下から旗竿全長の約１／３程度の位置に設定するのがよい。
（４）旗竿を地面に押し付ける力を、支持脚を展張させる動力としては使用せず、折り畳んである支持脚のロックを解除するだけに使用するため、より小さな押し付け力で、支持脚及び旗を展張させることができる。
（５）旗展張用レバーは、心棒である細いパイプの竿本体を軸に回転可能に取り付けられているため、旗が常に風向きと並行になびき、風により転倒しにくい。
【００２２】
本実施形態では、旗竿を例に挙げて説明したが、本発明は旗竿に限定されるものではない。例えば、フラッシュランプや回転灯、電池、スイッチなどを竿頭部に組み込むことによりランプの点灯もしくは点滅で標示を行うことができる。
また、本発明の自立式標示器は、地震や土砂崩れなどの立ち入り禁止域、高速道路等での事故現場、原子力発電所の放射能で汚染された地域などにおける危険標示を簡易に行うことができる。
【図面の簡単な説明】
【００２３】
【図１】本発明の一実施の形態に係る自立式標示器の立面図（ａ）と断面図（ｂ）。
【図２】旗竿収納状態における自立式標示器の全体断面図（ａ）、Ａ部拡大断面図（ｂ）、Ｂ部拡大断面図（ｃ）及びＣ−Ｃ拡大断面図（ｄ）。
【図３】スイッチ軸作動時の自立式標示器の全体断面図（ａ）、Ａ部拡大断面図（ｂ）及びＢ部拡大断面図（ｃ）。
【図４】支持脚展張開始時の自立式標示器の全体断面図（ａ）及びＡ部拡大断面図（ｂ）。
【図５】支持脚展張途中の自立式標示器の動作説明図。
【図６】支持脚及び旗展張時の自立式標示器の動作説明図。
【図７】自立式標示器の自立状態を示す外観図。
【符号の説明】
【００２４】
１：竿本体、２：内挿パイプ、２ｂ：下スリット穴、３：スイッチ軸、４：バネ、５：第１のロックレバー（第１のロック手段）、６：第２のロックレバー（第２のロック手段）、７：支持脚、８：旗展張用レバー、１１：竿頭部、１２、１３：旗ホルダーパイプ、１４：脚ホルダーパイプ、１４ａ：上スリット穴、１６：レバーホルダー、２０：ハブ、２１：脚ホルダー。
【図１】
0004799527.tif 000002
【図２】
0004799527.tif 000003
【図３】
0004799527.tif 000004
【図４】
0004799527.tif 000005
【図５】
0004799527.tif 000006
【図６】
0004799527.tif 000007
【図７】
0004799527.tif 000008